(57)【要約】【課題】設置適応性を有する電源装置を提供する。【解決手段】電源装置14は、電源ケース25および複数の電源部品26を備える。電源ケース25は、複数のケース部31，32，33を有し、これらケース部31，32，33が一列状に配列されるとともに隣り合うケース部31，32，33間が回動可能に連結される。複数の電源部品26は、複数のケース部31，32，33に分散して設けられる。【選択図】図１
2019003894.tif 000002
【特許請求の範囲】
【請求項１】
複数のケース部を有し、これらケース部が一列状に配列されるとともに隣り合う前記ケース部間が回動可能に連結された電源ケースと；
複数の前記ケース部に分散して設けられた複数の電源部品と；
を具備することを特徴とする電源装置。
【請求項２】
複数の前記ケース部を一列状となる所定の設置姿勢へ向けた回動方向に付勢する付勢手段を具備する
ことを特徴とする請求項１記載の電源装置。
【請求項３】
前記電源ケースは、複数の前記ケース部を鉛直姿勢とした状態での重心線に対してオフセットした位置に、複数の前記ケース部を互いに回動可能に連結する回動軸を有する
ことを特徴とする請求項１または２記載の電源装置。
【請求項４】
光源を有する灯具と；
前記光源に電源を供給する請求項１ないし３いずれか一記載の電源装置と；
を具備することを特徴とする照明装置。
【発明の詳細な説明】
【技術分野】
【０００１】
本発明の実施形態は、電源ケースに電源部品を設けた電源装置、およびこの電源装置を用いた照明装置に関する。
【背景技術】
【０００２】
従来、天井板に設けられた埋込孔に埋め込み設置するダウンライト等の照明装置がある。この照明装置には、光源を有する灯具と、光源に電源を供給する電源装置とを別体とし、これら灯具と電源装置とをケーブルで電気的に接続したものがある。
【０００３】
この照明装置を設置する場合、電源装置を天井板の埋込孔から天井裏に挿入して天井板の上面に設置し、灯具を天井板の埋込孔に挿入して取り付けている。
【０００４】
電源装置は、１つの電源ケースに電源ユニットや端子台等が一緒に組み込まれ、細長い形状に形成されている。
【０００５】
ところで、このような照明装置では設置状態で目立たないようにするために小径化の要求があるが、天井板の埋込孔の内径が小さくなり、この埋込孔に挿入する電源装置をより細長くしなければならい。
【０００６】
この場合、設置場所によっては、天井裏の高さが低い場合があるため、電源装置を天井板の埋込孔に挿入する際、電源装置が天井裏の構造物等に当たって挿入できず、電源装置を設置できないおそれがある。
【先行技術文献】
【特許文献】
【０００７】
【特許文献１】特開２０１７−７３２６６号公報
【発明の概要】
【発明が解決しようとする課題】
【０００８】
本発明が解決しようとする課題は、設置適応性を有する電源装置および照明装置を提供することである。
【課題を解決するための手段】
【０００９】
実施形態の電源装置は、電源ケースおよび複数の電源部品を備える。電源ケースは、複数のケース部を有し、これらケース部が一列状に配列されるとともに隣り合うケース部間が回動可能に連結される。複数の電源部品は、複数のケース部に分散して設けられる。
【発明の効果】
【００１０】
本発明によれば、設置適応性を有する電源装置を提供することが期待できる。
【図面の簡単な説明】
【００１１】
【図１】第１の実施形態を示す電源装置の斜視図である。
【図２】同上電源装置のケース部間が屈曲した状態の斜視図である。
【図３】同上電源装置を用いた照明装置の設置状態の断面図である。
【図４】同上電源装置の設置方法を示す断面図である。
【図５】同上図５に続く電源装置の設置方法を示す断面図である。
【図６】同上図６に続く電源装置の設置方法を示す断面図である。
【図７】第２の実施形態を示す電源装置の側面図である。
【発明を実施するための形態】
【００１２】
以下、第１の実施形態を、図１ないし図６を参照して説明する。
【００１３】
図３に照明装置10の設置状態を示す。照明装置10は、天井板11に設けられた埋込孔12に埋め込み設置するダウンライトである。照明装置10は、灯具13、電源装置14、およびこれら灯具13と電源装置14とを電気的に接続するケーブル15を備えている。
【００１４】
そして、灯具13は、下面側が開口された円筒状の器具本体18、この器具本体18内に配置される光源19、および器具本体18を天井板11に対して取り付ける複数の取付ばね（図示せず）等を備えている。
【００１５】
器具本体18は、例えば直径５０ｍｍ程度の小径サイズのもので、上面には光源19が発生する熱を放熱するための複数の放熱フィン20が突設されている。なお、天井板11の埋込孔の内径も、器具本体18を挿入して設置できる程度の小径サイズとなっている。
【００１６】
光源19は、発光素子を備えている。発光素子は、例えばＬＥＤや有機ＥＬ等が用いられる。
【００１７】
また、電源装置14は、交流電源等の外部電源を入力し、光源19を点灯させるための直流電源等の所定の点灯電源に変換して光源19に供給する。電源装置14は、中間ユニット22、およびこの中間ユニット22の両端に配設される端部ユニット23，24を備えている。
【００１８】
図１および図３に示すように、電源装置14は、電源ケース25、およびこの電源ケース25に設けられた複数の電源部品26を備えている。電源部品26は、電源回路27、電源端子台28、および調光端子台29を含んでいる。
【００１９】
電源ケース25は、天井板11の埋込孔12に挿入可能とする細長い形状に形成されている。電源ケース25は、長手方向に複数に分割されたケース部31，32，33によって構成されている。すなわち、電源ケース25は、電源回路27を設ける中央ユニット22のケース部（電源用ケース部または中間ケース部）31、電源端子台28を設ける一方の端部ユニット23のケース部（電源端子台用ケース部または端部ケース部）32、および調光端子台29を設ける他方の端部ユニット24のケース部（調光端子台用ケース部または端部ケース部）33を備えている。
【００２０】
ケース部31は、上面部34、両側の側面部35、両端の端面部36、および底面部37を有する四角形筒状に形成され、内部に電源回路27を収容する。両側の側面部35の両端でかつ上面部34側よりも底面部37側に近い位置から連結部38が突設されている。これら連結部38に連結孔39が設けられている。
【００２１】
ケース部32は、上面部40、両側の側面部41および底面部42を有し、両端が開口された四角形筒状に形成され、底面部42上に電源端子台28を取り付けている。両側の側面部41には、ケース部31側に近い端部位置でかつ上面部側よりも底面部側に近い位置に連結孔43が設けられている。上面部40には、ケース部32がケース部31の長手方向に沿って一列状に配列される位置でケース部31の端面に当接するストッパ部44が設けられている。底面部42の外端部には、天井板11上に設置するための略Ｌ字形の脚部45が突設されている。
【００２２】
ケース部33は、上面部46、両側の側面部47および底面部48を有し、両端が開口された四角形筒状に形成され、底面部48上に電源端子台28を取り付けている。両側の側面部47には、ケース部31側に近い端部位置でかつ上面部側よりも底面部側に近い位置に連結孔49が設けられている。上面部46には、ケース部33がケース部31の長手方向に沿って一列状に配列される位置でケース部31の端面に当接するストッパ部50が設けられている。底面部48の外端部には、天井板11上に設置するための略Ｌ字形の脚部51が突設されている。
【００２３】
そして、ケース部31，32，33が一列状に配列されるとともに隣り合うケース部31，32，33間が互いに回動可能に連結されている。
【００２４】
すなわち、ケース部31の連結孔39およびケース部32の連結孔43に回動軸52が挿通されて取り付けられている。ケース部31およびケース部32は、回動軸52によって互いに回動可能に連結されている。ケース部31およびケース部32は、ケース部32の上面部40の端部つまりストッパ部44がケース部31の端面に当接し、ケース部31とケース部32とが長手方向に沿って一列状に配列される設置位置（設置姿勢）と、ケース部32の底面部42の端部がケース部31に当接するまでの位置であって、ケース部31とケース部32とが例えば９０°程度回動される屈曲位置（屈曲姿勢）との間の範囲内で、互いに回動可能としている。
【００２５】
同様に、ケース部31の連結孔39およびケース部33の連結孔49に回動軸52が挿通されて取り付けられている。ケース部31およびケース部33は、回動軸52によって互いに回動可能に連結されている。ケース部31およびケース部33は、ケース部33の上面部46の端部つまりストッパ部50がケース部31の端面に当接し、ケース部31とケース部33とが長手方向に沿って一列状に配列される設置位置（設置姿勢）と、ケース部33の底面部48の端部がケース部31に当接するまでの位置であって、ケース部31とケース部33とが例えば９０°程度回動される屈曲位置（屈曲姿勢）との間の範囲内で、互いに回動可能としている。
【００２６】
さらに、ケース部31とケース部32との間、およびケース部31とケース部33との間を、それぞれ一列状に配列される設置位置（設置姿勢）に向けた回動方向に付勢する付勢手段53を備えている。付勢手段53は、回動軸52に装着されたトーションばねによって構成されている。なお、付勢手段53としては、中央のケース部31を貫通するともに両端部が両端のケース部32，33に連結される線ばねや板ばね等のばねを用いてもよい。
【００２７】
さらに、図４に示すように、ケース部31とケース部32との間、およびケース部31とケース部33との間を回動可能に連結する回動軸52は、ケース部31〜33を鉛直姿勢とした状態での各ケース部31〜33（各ユニット22〜24）の重心線ｃに対して、ケース部31〜33が屈曲する側にオフセットした位置に設けられている。
【００２８】
また、電源回路27は、回路基板、およびこの回路基板に実装された複数の電子部品を備えている。電源回路27は、ケース部31内に収納されている。そして、電源回路27は、交流電源等の外部電源を入力し、光源19を点灯させるための直流電源等の所定の点灯電源に変換して出力し、さらに、調光信号を入力し、光源19の光出力が調光度に応じた光出力となるように調光制御する。
【００２９】
また、電源端子台28は、電源装置14の外端側に臨んで、外部電源を供給する電源線を接続する外部電源接続部、他の照明装置10に外部電源を送るための送り配線を接続する送り接続部、灯具13に点灯電力を供給するケーブル15を接続する灯具接続部等を有している。そして、調光端子台29と電源回路27とは、図示しない外部電源入力用配線および点灯電源出力用配線によって電気的に接続されている。これら配線は、所定の絶縁性を有し、ケース部31，32間の回動を可能とする柔軟性および長さ等を有している。
【００３０】
また、調光端子台29は、電源装置14の外端側に臨んで、調光信号を入力する信号線を接続する調光接続部59、他の照明装置10に調光信号を送るための送り配線を接続する送り接続部60等を有している。そして、調光端子台29と電源回路27とは、図示しない調光信号入力用配線によって電気的に接続されている。この調光信号入力用配線は、所定の絶縁性を有し、ケース部31，33間の回動を可能とする柔軟性および長さ等を有している。
【００３１】
また、ケーブル15は、被覆電線が用いられ、一端が電源装置14の電源端子台28の灯具接続部に接続され、他端が灯具13（光源19）に接続されている。
【００３２】
そして、照明装置10の設置について説明する。
【００３３】
天井板11の埋込孔12から下方に引き出される電源線を電源端子台28に接続するとともに、調光線を調光端子台29に接続する。
【００３４】
図４に示すように、ケース部33が上側となるように電源装置14を鉛直姿勢とし、天井板11の埋込孔12に下方から挿入する。電源装置14を鉛直姿勢とした際、付勢手段53によってケース部31〜33が一列状に配列されるように付勢していること、および回動軸52の位置が重心線ｃに対してオフセットされていることにより、電源装置14は鉛直姿勢を保ちやすく、不用意にケース部31〜33が屈曲するようなことはない。
【００３５】
そして、天井裏の高さが低い場合、ケース部33の端部が天井板11の上方の天井構造物（例えば上階の床裏）に当接することがある。
【００３６】
この場合、ケース部33が屈曲する側（底面部48側）が下向きとなるように傾けた状態として押し上げたり、ケース部33が当接状態のままケース部31，32をケース部33が屈曲する方向に対して反対側（図４右側）に移動させることにより、図５に示すように、付勢手段53の付勢に抗して、ケース部32がケース部31に対して屈曲する。あるいは、付勢手段53の付勢力が弱い場合には、ケース部33が屈曲する側（底面部48側）が下向きとなるように傾けると、ケース部32（端部ユニット24）の自重により、図５に示すように、付勢手段53の付勢に抗して、ケース部32がケース部31に対して屈曲する。
【００３７】
このように、ケース部32がケース部31に対して屈曲することで、埋込孔12への電源装置14の挿入を継続することができる。
【００３８】
さらに、埋込孔12への電源装置14の挿入を継続すると、上述したように、天井構造物（例えば上階の床裏）へのケース部31，33の当接により、あるいはケース部31，33（各ユニット22，24）の自重により、図６に示すように、付勢手段53の付勢に抗して、ケース部31がケース部32に対して屈曲する。
【００３９】
このように、ケース部31がケース部32に対して屈曲することで、埋込孔12への電源装置14の挿入を継続することができる。
【００４０】
そして、最後に、ケース部33を埋込孔12に挿入し、図３に示すように、電源装置14を天井板11上に設置する。
【００４１】
このとき、各ケース部31〜33（各ユニット22〜24）の自重により、および付勢手段53の付勢により、屈曲しているケース部31〜33が一列状に配列される設置姿勢に復帰する。そして、図３に示すように、両端の脚部45，51が天井板11の上面に載置され、ケース部31〜33の底面部37，42，48が天井板11の上面から離反した状態に設置される。
【００４２】
続いて、灯具13を埋込孔12に挿入し、灯具13が有する取付ばねによって灯具13を天井板11に取り付ける。
【００４３】
このように、本実施形態の電源装置14では、複数のケース部31〜33が互いに回動可能に連結され、これらケース部31〜33に電源部品26が分散して設けられているため、天井裏の高さが低い場合であっても、電源装置14を天井裏に設置することが可能となり、電源装置14の設置適応性を向上できる。
【００４４】
また、付勢手段53により、ケース部31〜33を一列状となる所定の設置姿勢へ向けた回動方向に付勢するため、電源装置14が屈曲状態のまま天井板11上に放置されるのを防止し、電源装置14を所定の設置姿勢に設置することができる。
【００４５】
また、回動軸52が複数のケース部31〜33を垂直姿勢とした状態での重心線ｃに対してオフセットした位置にあるため、埋込孔12への電源装置14の挿入時に電源装置14が垂直姿勢を維持し、挿入作業性がよくでき、さらに、電源装置14を傾ければ自重によって屈曲しやすくでき、電源装置14の設置作業性を向上できる。
【００４６】
次に、第２の実施形態を、図７を参照して説明する。
【００４７】
電源装置14は、２つの端部ユニット23，24に加えて、２つの中間ユニット22を備え、これら２つの中間ユニット22間も回動可能に連結している。２つの中間ユニット22のうち、一方には電源回路27に使用され、他方には例えば無線装置等のオプション装置に使用される。無線装置の場合、照明装置10の点灯および消灯や調光を親機や端末等から無線通信によって制御するのに使用される。
【００４８】
２つの中間ユニット22のケース部31には、共通のケース構造を用いてもよいし、別々のケース構造を用いてもよい。
【００４９】
このように、オプション装置を備える電源装置14の場合には長さが長くなるが、電源ケース25を長手方向に複数に分割して互いに回動可能に連結することにより、天井裏の高さが低い場合でも設置することが可能で、設置適応性を確保できる。
【００５０】
なお、電源ケース25は、少なくとも長手方向に２つに分割して互いに回動可能に連結されていればよく、一方、さらに図７の４つに分割される場合よりもさらに多くに分割して互いに回動可能に連結してもよい。
【００５１】
また、電源装置は、ダウンライト等の埋込形照明装置に限らず、電源装置を別置きとする天井直付形照明装置等にも適用することができる。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
10    照明装置
13    灯具
14    電源装置
19    光源
25    電源ケース
26    電源部品
31，32，33    ケース部
52    回動軸
53    付勢手段
ｃ    重心線
【図１】
2019003894.tif 000003
【図２】
2019003894.tif 000004
【図３】
2019003894.tif 000005
【図４】
2019003894.tif 000006
【図５】
2019003894.tif 000007
【図６】
2019003894.tif 000008
【図７】
2019003894.tif 000009